(57)【要約】      （修正有）【課題】容易に組み立て可能な光トランシーバ、及びその製造方法を提供する。【解決手段】光トランシーバ１０は、光サブアセンブリ１２、１４、フレーム１８、及び、レセプタクル１６を備えており、フレームは一対の側壁１８ｂを有し、レセプタクルは光サブアセンブリと光コネクタとを光学的に結合するための部品である。レセプタクルは、フレームの一対の側壁の間に挿入され、一対の側壁に対面する一対の側面、及び底面を含む。フレームは、後方受容面、及び底面１８ａを有している。後方受容面は、レセプタクルに組み付けられた光サブアセンブリのフランジの後面を受け、フレームの底面にはレセプタクルの底面が当接する。フレームの側壁はねじ孔の一部を画成しており、レセプタクルの側面はねじ孔の他の一部を画成している。光トランシーバは、ねじ孔に挿入されることにより、フランジの後面を後方受容面に当接させるねじを更に備えている。【選択図】図２
2011043577.tif 000002
【特許請求の範囲】
【請求項１】
光を送信又は受信する光サブアセンブリと、
一対の側壁を有するフレームと、
前記光サブアセンブリと光コネクタとを光学的に結合するためのレセプタクルであって、前記フレームの前記一対の側壁の間に挿入される該レセプタクルと、
を備え、
前記レセプタクルは、前記一対の側壁に対面する一対の側面、及び、該一対の側面に交差し且つ前記光軸方向に延びる面に平行な底面を含んでおり、
前記フレームは、前記レセプタクルに組み付けられた前記光サブアセンブリのフランジであって前記光の光軸に交差する方向に延びる該フランジの後面を受けるための後方受容面、及び、前記レセプタクルの前記底面が当接する底面を有しており、
前記フレームの前記側壁がねじ孔の一部を画成しており、前記レセプタクルの前記側面が前記ねじ孔の他の一部を画成しており、
前記ねじ孔に挿入されることにより、前記フランジの前記後面を前記後方受容面に当接させるねじを更に備える、
光トランシーバ。
【請求項２】
前記レセプタクルの前記一対の側面は、第１の面、及び、該第１の面より後方において該１の面より外側に突出した突出部、を含み、
前記突出部は、前記レセプタクルの前記底面を含んでおり、
前記フレームの前記一対の側壁は、前記第１の面に対面する第２の面、及び、該第２の面より後方において該第２の面より外側に窪んだ凹部であって前記突出部を受容する該凹部を含でおり、
前記凹部は、前記フレームの前記底面を含んでいる、
請求項１に記載の光トランシーバ。
【請求項３】
前記レセプタクルの前記側面において、前記第１の面と前記突出部との間に前記ねじ孔の前記一部が形成されており、
前記フレームの前記側壁において、前記第２の面と前記凹部との間に、前記ねじ孔の前記他の一部が形成されている、請求項２に記載の光トランシーバ。
【請求項４】
前記レセプタクルの前記側面によって画成される前記ねじ孔の前記一部が、前記フレームの前記側壁によって画成される前記ねじ孔の前記他の一部より、前記後方需要面に対して前方にシフトするように予め形成されている、
請求項１又は２に記載の光トランシーバ。
【請求項５】
光を送信又は受信する光サブアセンブリを、該光サブアセンブリと光コネクタとを光学的に結合するためのレセプタクルに組み付ける工程と、
前記光サブアセンブリが組み付けられた前記レセプタクルを、フレームの一対の側壁の間に挿入し、前記レセプタクルの底面を前記フレームの底面に当接させる工程と、
前記フレームの前記一対の側壁と該一対の側壁に対面する前記レセプタクルの一対の側面との間に設けられたねじ孔であって、一部が前記フレームの前記側壁に形成されており他の一部が前記レセプタクルの前記側面に形成された該ねじ孔にねじを挿入することによって、前記光サブアセンブリのフランジであって前記光の光軸に交差する方向に延びる該フランジの後面を、前記フレームの後方受容面に当接させる工程と、
を含む光トランシーバの製造方法。
【請求項６】
前記レセプタクルの前記一対の側面は、第１の面、及び、該第１の面より後方において該１の面より外側に突出した突出部、を含み、
前記突出部は、前記レセプタクルの前記底面を含んでおり、
前記フレームの前記一対の側壁は、前記第１の面に対面する第２の面、及び、該第２の面より後方において該第２の面より外側に窪んだ凹部であって前記突出部を受容する該凹部を含でおり、
前記凹部は、前記フレームの前記底面を含んでおり、
前記レセプタクルの前記側面において、前記第１の面と前記突出部との間に前記ねじ孔の前記一部が設けられており、
前記フレームの前記側壁において、前記第２の面と前記凹部との間に、前記ねじ孔の前記他の一部が形成されており、
前記ねじ孔にねじが挿入されることにより、前記フランジの後面が前記後方受容面に当接する、
請求項５に記載の光トランシーバの製造方法。
【請求項７】
前記セプタクルの前記側面によって画成される前記ねじ孔の前記一部が、前記フレームの前記側壁によって画成される前記ねじ孔の前記他の一部より、前記後方需要面に対して前方にシフトするように予め形成されており、
前記ねじ孔に前記ねじを挿入することにより、前記フランジの前記後面を、前記フレームの前記後方受容面に当接させる、
請求項５に記載の光トランシーバの製造方法。
【発明の詳細な説明】
【技術分野】
【０００１】
本発明は、光トランシーバ、及びその組立て方法に関するものである。
【背景技術】
【０００２】
光トランシーバとしては、特許文献１に記載されているように、光サブアセンブリ、レセプタクル、及びフレームを備えるものが知られている。
【０００３】
特許文献１に記載された光トランシーバは、以下に説明するように組立てられる。まず、光サブアセンブリが光レセプタクルに組み付けられる。次いで、光サブアセンブリ付きの光レセプタクルが、フレームの一対の側壁の間に挿入される。そして、フレームの一対の側壁とレセプタクルの側壁との間に一対のねじが螺合される。この光トランシーバでは、ねじを挿入する量を調整することにより、フレームに対するレセプタクルの位置、更には光サブアセンブリの位置が決定される。
【先行技術文献】
【特許文献】
【０００４】
【特許文献１】特開２００５−２２７７８３号公報
【発明の概要】
【発明が解決しようとする課題】
【０００５】
上述した特許文献１に記載の光トランシーバの組み立ては、レセプタクル及び光サブアセンブリの位置を確認しつつ、一対のねじの挿入量を調整する必要があるので、煩雑なものである。
【０００６】
本発明は、容易に組み立て可能な光トランシーバ、及びその製造方法を提供することを目的としている。
【課題を解決するための手段】
【０００７】
本発明の光トランシーバは、光サブアセンブリ、フレーム、及び、レセプタクルを備えている。光サブアセンブリは、光を送信又は受信する部品である。フレームは、一対の側壁を有する。レセプタクルは、光サブアセンブリと光コネクタとを光学的に結合するための部品である。レセプタクルは、フレームの一対の側壁の間に挿入される。レセプタクルは、一対の側壁に対面する一対の側面、及び、当該一対の側面に交差し且つ前記光軸方向に延びる面に平行な底面を含んでいる。フレームは、後方受容面、及び、底面を有している。後方受容面は、レセプタクルに組み付けられた光サブアセンブリのフランジであって上記光の光軸に交差する方向に延びる該フランジの後面を受ける。フレームの底面には、レセプタクルの底面が当接する。フレームの側壁はねじ孔の一部を画成しており、レセプタクルの側面は当該ねじ孔の他の一部を画成している。本光トランシーバは、当該ねじ孔に挿入されることにより、フランジの後面を後方受容面に当接させるねじを更に備えている。
【０００８】
本光トランシーバによれば、ねじの挿入方向におけるレセプタクルのフレームに対する位置決めを、ねじの挿入量によらず、レセプタクルの底面をフレームの底面に当接させることによって、達成することができる。また、レセプタクルのフレームに対する前後方向の位置決めは、ねじをねじ孔に通すことにより、容易に実現することができる。
【０００９】
本発明の光トランシーバでは、レセプタクルの一対の側面が、第１の面、及び、当該第１の面より後方において当該１の面より外側に突出した突出部、を含み得る。突出部が、レセプタクルの上記底面を含み得る。フレームの一対の側壁が、第１の面に対面する第２の面、及び、当該第２の面より後方において当該第２の面より外側に窪んだ凹部であって突出部を受容する該凹部を含み得る。凹部は、フレームの上記底面を含み得る。
【００１０】
この構成によれば、レセプタクルのフレームへの組み付け時に突出部が凹部によって案内されて突出部の底面が凹部の底面に当接する。したがって、フレームに対するレセプタクルの位置決めを容易に行うことができる。
【００１１】
本発明の光トランシーバでは、レセプタクルの側面において、第１の面と突出部との間に、ねじ孔の一部が形成されており、フレームの側壁において、第２の面と凹部との間に、ねじ孔の他の一部が形成されていてもよい。
【００１２】
本発明の光トランシーバでは、レセプタクルの側面によって画成されるねじ孔の一部が、フレームの側壁によって画成されるねじ孔の他の一部より、後方需要面に対して前方にシフトするように予め形成されていてもよい。
【００１３】
本発明の光トランシーバの製造方法は、（ａ）光を送信又は受信する光サブアセンブリを、当該光サブアセンブリと光コネクタとを光学的に結合するためのレセプタクルに組み付ける工程と、（ｂ）光サブアセンブリが組み付けられたレセプタクルを、フレームの一対の側壁の間に挿入し、レセプタクルの底面をフレームの底面に当接させる工程と、（ｃ）フレームの一対の側壁と該一対の側壁に対面するレセプタクルの一対の側面との間に設けられたねじ孔であって、一部がフレームの側壁に形成されており他の一部がレセプタクルの側面に形成された当該ねじ孔に、ねじを挿入することによって、光サブアセンブリのフランジであって上記光の光軸に交差する方向に延びる当該フランジの後面を、フレームの後方受容面に当接させる工程と、を含む。この製造方法によれば、フレームに対するレセプタクルの位置決めを容易に達成することが可能である。
【００１４】
本製造方法が適用される光トランシーバでは、上述したように、レセプタクルの側面に突出部を有し、フレームの側壁に凹部を有していてもよい。また、第１の面と突出部との間にねじ孔の一部が形成されていてもよく、第２の面と凹部との境界にねじ孔の他の一部が形成されていてもよい。また、セプタクルの側面によって画成されるねじ孔の一部が、フレームの側壁によって画成されるねじ孔の他の一部より、後方需要面に対して前方にシフトするように予め形成されており、ねじ孔にねじを挿入することにより、フランジの後面を、フレームの後方受容面に当接させてもよい。
【発明の効果】
【００１５】
以上説明したように、本発明によれば、容易に組み立て可能な光トランシーバ、及びその製造方法が提供される。
【図面の簡単な説明】
【００１６】
【図１】一実施形態に係る光トランシーバの斜視図である。
【図２】図１に示す光トランシーバの分解斜視図である。
【図３】図１に示す光トランシーバのレセプタクルの斜視図である。
【図４】図１に示す光トランシーバの前側部分を拡大して示す平面図である。
【図５】図４のＶ−Ｖ線に沿った断面を示す図である。
【図６】図１に示す光トランシーバのねじ孔を概略的に示す図である。
【図７】別の一実施形態に係る光トランシーバの分解斜視図である。
【図８】図７に示す光トランシーバのレセプタクルの斜視図である。
【図９】図７に示す光トランシーバの前側部分を拡大して示す平面図である。
【図１０】図７に示す光トランシーバのねじ孔を概略的に示す図である。
【発明を実施するための形態】
【００１７】
以下、図面を参照して本発明の好適な実施形態について詳細に説明する。なお、各図面において同一又は相当の部分に対しては同一の符号を附すこととする。
【００１８】
図１は、一実施形態に係る光トランシーバの斜視図である。図２は、図１に示す光トランシーバの分解斜視図である。図１及び図２に示すように、光トランシーバ１０は、光サブアセンブリ１２及び１４、レセプタクル１６、フレーム１８、並びに、ねじ２０を備えている。光トランシーバ１０は、回路基板２２も備え得る。なお、本明細書においては、光送信サブアセンブリ（ＴＯＳＡ）１２の光の出射方向、即ち、ＴＯＳＡ  １２の光軸方向Ｘにおいて、ＴＯＳＡ１２に対してレセプタクル１６が位置する方向を「前」としており、レセプタクル１６に対してＴＯＳＡ  １２が位置する方向に「後」としている。また、回路基板２２の板面に沿う方向であって、光軸方向Ｘに交差する方向を「側方」としている。さらに、ねじ２０の挿入方向を「下」としている。
【００１９】
ＴＯＳＡ  １２は、光を送信する部品である。ＴＯＳＡ  １２は、デバイス部１２ａ及びスリーブ部１２ｂを有している。デバイス部１２ａは、半導体レーザといった発光素子をパッケージ内に収容している。スリーブ部１２ｂは、ＴＯＳＡ  １２の光軸方向Ｘに延びる筒状をなしている。スリーブ部１２ｂは、レセプタクル１６へと挿入される光コネクタの先端のフェルールを、その内孔に受容する。これにより、スリーブ部１２ｂは、発光素子とフェルールに保持された光ファイバとを光学的に結合する。
【００２０】
光受信サブアセンブリ（ＲＯＳＡ）１４は、光を受信する部品である。ＲＯＳＡ  １４は、デバイス部１４ａ及びスリーブ部１４ｂを有している。デバイス部１４ａは、フォトダイオードといった受光素子を、パッケージ内に収容している。スリーブ部１４ｂは、光軸方向Ｘと平行な方向に延びる筒状をなしている。スリーブ部１４ｂは、レセプタクル１６へと挿入される光コネクタの先端のフェルールを、その内孔に受容する。これにより、スリーブ部１４ｂは、受光素子とフェルールに保持された光ファイバとを光学的に結合する。
【００２１】
ＴＯＳＡ  １２及びＲＯＳＡ  １４は、回路基板２２の前方端（一端）に電気的に結合されている。この回路基板２２の後方端（他端）は、ホストシステムの電気コネクタに結合されるコネクタプラグを提供している。
【００２２】
ＴＯＳＡ  １２及びＲＯＳＡ  １４は、レセプタクル１６へと組み付けられる。図３は、図１に示す光トランシーバのレセプタクルの斜視図である。図３は、レセプタクル１６を、図１に示す状態から上下反転して示している。図３において、（ａ）には、レセプタクルを前方から見た状態のレセプタクルが示されており、（ｂ）には、レセプタクルを後方から見た状態のレセプタクルが示されている。
【００２３】
図３に示すように、レセプタクル１６は、空間１６ａ及び空間１６ｂを提供している。空間１６ａは、光コネクタとＴＯＳＡ  １２とを光学的に結合するための空間である。また、空間１６ｂは、光コネクタとＲＯＳＡ  １４とを光学的に結合するための空間である。
【００２４】
レセプタクル１６は、後面１６ｃを提供する後壁を含んでいる。後面１６ｃは、光軸方向Ｘと直交する面に沿っている。レセプタクル１６の後壁には、開口１６ｄ及び開口１６ｅが設けられている。開口１６ｄは空間１６ａに通じており、開口１６ｅは空間１６ｂに通じている。図１及び図２に示すように、開口１６ｄにはＴＯＳＡ  １２のスリーブ部１２ｂの先端が挿入されて、嵌合する。開口１６ｅにはＲＯＳＡ  １４のスリーブ部１４ｂの先端が挿入されて、嵌合する。
【００２５】
図４は、図１に示す光トランシーバの前側部分を拡大して示す平面図である。図５は、図４のＶ−Ｖ線に沿った断面を示す図である。図４及び図５に示すように、スリーブ部１２ｂは、光軸方向Ｘに直交する面に沿って延びるフランジ１２ｃを含んでいる。また、スリーブ部１４ｂも、光軸方向Ｘに直交する面に沿って延びるフランジ１４ｃを含んでいる。スリーブ部１２ｂは、フランジ１２ｃの前面が後面１６ｃに当接するまで、開口１６ｄに挿入される。同様に、スリーブ部１４ｂも、フランジ１４ｃの前面が後壁１６ｃに当接するまで、開口１６ｅに挿入される。このように開口１６ｄ、１６ｅに挿入することによって、ＴＯＳＡ  １２、及びＲＯＳＡ  １４は、レセプタクル１６に対して位置決めされる。
【００２６】
再び図１及び図２を参照する。フレーム１８は、底壁１８ａと一対の側壁１８ｂとを含んでいる。底壁１８ａは、光軸方向Ｘに延びる面に沿っており、回路基板２２と略平行に設けられている。この底壁１８ａの上には、回路基板２２が搭載される。また、底壁１８ａ上には、シリコーン樹脂といった材料によって構成された放熱シートを介して、ＴＯＳＡ  １２のデバイス部１２ａが搭載される。これにより、デバイス部１２ａで発生する熱をフレーム１８へと逃がす構造が提供される。
【００２７】
一対の側壁１８ｂは、光軸方向Ｘと平行な方向に延びており、且つ、底壁１８ａの両側において当該底壁１８ａに交差する面に沿って設けられている。一対の側壁１８ｂは、底壁１８ａより前方に延び出している。これら一対の側壁１８ｂの間には、レセプタクル１６が挿入される。
【００２８】
レセプタクル１６は、図３に示すように、一対の側壁１８ｂに対面する一対の側面１６ｆを含んでいる。一対の側面１６ｆはそれぞれ、第１の面１６ｇと突出部１６ｈを含んでいる。突出部１６ｈは、第１の面１６ｇより後方に設けられている。突出部１６ｈは、第１の面１６ｇより外側に突出している。
【００２９】
図２及び図４に示すように、フレーム１８の一対の側壁１８ｂはそれぞれ、その内面に、第２の面１８ｃ及び凹部１８ｄを含んでいる。第２の面１８ｃは、第１の面１６ｇに対面する面である。凹部１８ｄは、第２の面より外側に窪んでいる。凹部１８ｄは、第２の面１８ｃより後方に設けられている。
【００３０】
凹部１８ｄは、レセプタクル１６がフレーム１８の一対の側壁１８ｂの間に挿入される際に、突出部１６ｈを案内する。図３及び図５に示すように、レセプタクル１６は、底面１６ｉを有している。底面１６ｉは、一対の側面１６ｆに交差し且つ光軸方向Ｘに延びる面に平行に設けられている。本実施形態では、底面１６ｉは、突出部１６ｈによって提供されている。また、フレーム１８は、底面１８ｅを有している。この底面１８ｅは、底面１６ｉに対面する面である。本実施形態では、底面１８ｅは、凹部１８ｄによって提供されている。図５に示すように、レセプタクル１６がフレーム１８の一対の側壁１８ｂの間に挿入されると、底面１６ｉが底面１８ｅに当接することによって、当該挿入の方向において、レセプタクル１６のフレーム１８に対する位置が決定される。
【００３１】
なお、レセプタクル１６の突出部１６ｈは、レセプタクル１６のフレーム１８への挿入方向に進むにつれて、光軸方向Ｘに平行な方向における幅が狭くなる形状を有していることが好適である。また、レセプタクル１６の突出部１６ｈと凹部１８ｄは、光軸方向Ｘに平行な方向において、両者の間に隙間が生じるように構成されていることが好適である。これにより、レセプタクル１６のフレーム１８への挿入作業が容易となる。
【００３２】
図２、図４、及び図５に示すように、フレーム１８は、鞍部１８ｆを有している。鞍部１８ｆは、スリーブ部１２ｂ及び１４ｂを搭載する二つの半開口を画成している。鞍部１８ｆの前側の面は、フランジ１２ｃ及び１４ｃを受容する後方受容面となっている。フランジ１２ｃ及び１４ｃが、レセプタクル１６の後面１６ｃと後方受容面との間に挟まれることによって、ＴＯＳＡ  １２及びＲＯＳＡ１４の光軸方向Ｘ（又はこれに平行な方向）での位置が決定される。
【００３３】
図２、図３及び図４に示すように、レセプタクル１６の第１の面１６ｇと突出部１６ｈとの境界には、ねじ孔の一部１６ｊが形成されている。また、図２及び図４に示すように、フレーム１８の第２の面１８ｃと凹部１８ｄとの境界には、ねじ穴の他の一部１８ｇが形成されている。ねじ孔の一部１６ｊとねじ穴の他の一部１８ｇの協働によって形成されるねじ孔は、レセプタクル１６のフレーム１８への挿入方向に延びている。
【００３４】
図６は、図１に示す光トランシーバのねじ孔を概略的に示す図である。図６の（ａ）に示すように、ねじ２０を挿入する前においては、レセプタクル１６に形成されたねじ孔の一部１６ｊの曲率中心の位置は、フレームに形成されたねじ孔の他の一部１８ｇの曲率中心位置よりも、前方に変位している。
【００３５】
図６の（ｂ）に示すようにねじ２０をねじ孔に挿入すると、レセプタクル１６は後方へ移動する。レセプタクル１６の後方への移動によって、図４に示すように、フランジ１２ｃ及び１４ｃの後面が鞍部１８ｆの後方受容面に確実に当接する。これによって、ＴＯＳＡ  １２、ＲＯＳＡ  １４、及びレセプタクル１６のフレーム１８に対する光軸方向Ｘにおける位置が決定される。また、ねじ２０を挿入することによって、底面１６ｉが底面１８ｅに確実に当接する。このように、ねじ２０の挿入量に拠らず、ねじ２０をねじ穴に挿入することにより、ＴＯＳＡ  １２、ＲＯＳＡ  １４、及びレセプタクル１６のフレーム１８に対する位置を容易に決定することができる。
【００３６】
なお、ねじ２０を挿入する前の状態では、ねじ孔の一部１６ｊ及びねじ孔の他の一部１８ｇのうちの一方のみにねじが切られていることが好適である。この場合には、ねじ孔の一部１６ｊ及びねじ孔の他の一部１８ｇのうちの一方には、ねじ２０の挿入によってねじが切られることになる。これにより、レセプタクル１６を移動させつつ、ねじ２０を確実にねじ孔に挿入することが可能となる。
【００３７】
以下、別の一実施形態に係る光トランシーバについて説明する。図７は、別の一実施形態に係る光トランシーバの分解斜視図である。図８は、図７に示す光トランシーバのレセプタクルの斜視図である。図９は、図７に示す光トランシーバの前側部分を拡大して示す平面図である。図１０は、図７に示す光トランシーバのねじ孔を概略的に示す図である。
【００３８】
図７に示す光トランシーバ１０Ａでは、ねじ２０を挿入するねじ孔が形成されている位置が、図１等に示した光トランシーバ１０のねじ孔の位置と異なっている。光トランシーバ１０Ａの他の構成は、光トランシーバ１０と同様である。
【００３９】
図７、図８、及び図９に示すように、光トランシーバ１０Ａのレセプタクル１６Ａでは、ねじ孔の一部１６ｊが、側面１６ｆにおいて突出部１６ｈより前方に形成されている。また、光トランシーバ１０Ａのフレーム１８Ａでは、ねじ孔の他の一部１８ｇが、側壁１８ｂの内面において、凹部１８ｄより前方に形成されている。
【００４０】
本実施形態の光トランシーバ１０Ａにおいても、図１０の（ａ）に示すように、ねじ２０を挿入する前においては、レセプタクル１６Ａに形成されたねじ孔の一部１６ｊの曲率中心の位置は、フレーム１８Ａに形成されたねじ孔の他の一部１８ｇの曲率中心の位置よりも、前方に変位している。したがって、図１０の（ｂ）に示すようにねじ２０をねじ孔に挿入することにより、レセプタクル１６Ａは後方へ移動する。レセプタクル１６Ａの後方への移動によって、フランジ１２ｃ及び１４ｃの後面が鞍部１８ｆの後方受容面に確実に当接する。これによって、ＴＯＳＡ  １２、ＲＯＳＡ  １４、及びレセプタクル１６Ａの光軸方向Ｘにおける位置が決定される。また、ねじ２０を挿入することによって、底面１６ｉが底面１８ｅに確実に当接する。
【００４１】
以下、光トランシーバ１０の製造方法を、図２を参照しつつ説明する。本製造方法では、まず、ＴＯＳＡ  １２及びＲＯＳＡ  １４を、レセプタクル１６に組み付ける。具体的には、ＴＯＳＡ  １２のスリーブ部１２ｂの先端、及びＲＯＳＡ  １４のスリーブ部１４ｂの先端をそれぞれ、レセプタクル１６の開口１６ｄ、開口１６ｅに挿入する。スリーブ部１２ｂ及び１４ｂの挿入は、フランジ１２ｃ及び１４ｃがレセプタクル１６の後面１６ｃに当接するまで、行われる。
【００４２】
次いで、ＴＯＳＡ  １２及びＲＯＳＡ  １４が組み付けられたレセプタクル１６を、フレーム１８の一対の側壁１８ｂの間に挿入する。具体的には、レセプタクル１６の突出部１６ｈをフレーム１８の凹部１８ｄによって案内しつつ、レセプタクル１６をフレーム１８の一対の側壁１８ｂの間に挿入する。レセプタクル１６がフレーム１８の一対の側壁１８ｂの間に挿入されると、レセプタクル１６の底面１６ｉがフレーム１８の底面１８ｅに当接する。
【００４３】
次いで、ねじ孔の一部１６ｊとねじ孔の他の一部１８ｇによって形成されるねじ孔に、ねじ２０を挿入する。これにより、レセプタクル１６が後方へ移動して、フランジ１２ｃ及び１４ｃが鞍部１８ｆの後方受容面に当接する。その結果、光軸方向ＸにおけるＴＯＳＡ  １２、ＲＯＳＡ  １４、及びレセプタクル１６のフレーム１８に対する位置が決定される。また、ねじ２０の挿入により、レセプタクル１６の底面１６ｉがフレーム１８の底面１８ｅに確実に当接する。
【００４４】
このような工程により、光トランシーバ１０の製造が完了する。なお、光トランシーバ１０Ａの製造方法は、光トランシーバ１０の製造方法と同様である。
【００４５】
以上、本発明の実施形態に係る光トランシーバ、及び、その製造方法を説明した。上述した実施形態の光トランシーバによれば、ＴＯＳＡ、ＲＯＳＡ、及びレセプタクルのフレームに対する位置決めを容易に実現することが可能である。
【００４６】
なお、本発明は上述した実施形態に限定されることなく種々の変形が可能である。例えば、レセプタクルのフレームへの挿入時に当接するように構成されていれば、底面１６ｉはレセプタクルの任意の位置に形成されていてもよく、また、底面１８ｅは、フレームの任意の位置に形成されていてもよい。
【符号の説明】
【００４７】
１０，１０Ａ…光トランシーバ、１２…光送信サブアセンブリ（ＴＯＳＡ）、１２ａ…デバイス部、１２ｂ…スリーブ部、１２ｃ…フランジ、１４…光受信サブアセンブリ（ＲＯＳＡ）、１４ａ…デバイス部、１４ｂ…スリーブ部、１４ｃ…フランジ、１６，１６Ａ…レセプタクル、１６ｃ…後面、１６ｄ，１６ｅ…開口、１６ｆ…一対の側面、１６ｇ…第１の面、１６ｈ…突出部、１６ｉ…底面、１６ｊ…ねじ孔の一部、１８，１８Ａ…フレーム、１８ａ…底壁、１８ｂ…一対の側壁、１８ｃ…第２の面、１８ｄ…凹部、１８ｅ…底面、１８ｆ…鞍部、１８ｇ…ねじ孔の他の一部、２０…ねじ、２２…回路基板。
【図１】
2011043577.tif 000003
【図２】
2011043577.tif 000004
【図３】
2011043577.tif 000005
【図４】
2011043577.tif 000006
【図５】
2011043577.tif 000007
【図６】
2011043577.tif 000008
【図７】
2011043577.tif 000009
【図８】
2011043577.tif 000010
【図９】
2011043577.tif 000011
【図１０】
2011043577.tif 000012